(57)【特許請求の範囲】
【請求項１】
照明条件を調整可能な照明装置により照らされた被験肌を撮像装置で撮像することで得られる画像を用いる肌評価方法において、
所定の明るさの環境下での撮影を模擬する照明条件とカメラパラメータとの組み合わせにおける照明条件を前記照明装置に設定し、その組み合わせにおけるカメラパラメータを前記撮像装置に設定し、
前記設定された照明条件で前記照明装置により照らされた被験肌を、前記設定されたカメラパラメータで前記撮像装置に撮像させることにより、評価する実環境での被験肌の見え方を疑似的に表す画像を撮像する、
ことを含む肌評価方法。
【請求項２】
前記撮像装置に設定される前記カメラパラメータは、シャッタースピード、フレームレート、絞り値、ＩＳＯ（International Organization for Standardization）感度、ホワイトバランス、被験肌とカメラの距離の少なくとも１つ、又は全てを含む、
請求項１に記載の肌評価方法。
【請求項３】
前記カメラパラメータとしてシャッタースピードを前記撮像装置に設定することを含む、
請求項１又は２に記載の肌評価方法。
【請求項４】
前記カメラパラメータとしてフレームレートを前記撮像装置に設定し、
前記撮像された画像をリアルタイムに表示装置に表示する、
ことを含む請求項１又は２に記載の肌評価方法。
【請求項５】
前記照明条件は、照明の数、照明の照度、位置方向、照明方向、照明の色、光源の種類の少なくとも１つ、又は全てを含む、
請求項１から４のいずれか１項に記載の肌評価方法。
【請求項６】
前記照明条件である照明の位置方向、照明方向を前記照明装置に設定することを含む、
請求項１から５のいずれか１項に記載の肌評価方法。
【請求項７】
前記照明条件の位置方向は、少なくとも２方向から照射することを含み、その少なくとも２方向は、前記被験肌の前方かつ上方からの方向を含む、
請求項１から６のいずれか１項に記載の肌評価方法。
【請求項８】
前記被験肌は、化粧料の施された肌である、
請求項１から７のいずれか１項に記載の肌評価方法。
【請求項９】
照明条件を調整可能な照明装置により照らされた被験肌を撮像装置で撮像することで得られる画像を用いる肌評価支援システムであって、
所定の明るさの環境下での撮影を模擬する照明条件とカメラパラメータとの組み合わせにおける照明条件が前記照明装置に設定され、その組み合わせにおけるカメラパラメータが前記撮像装置に設定され、
前記設定された照明条件で前記照明装置により照らされた被験肌を、前記設定されたカメラパラメータで前記撮像装置に撮像させることにより、評価する実環境での被験肌の見え方を疑似的に表す画像を撮像する、
ことを含む肌評価支援システム。
【発明の詳細な説明】
【技術分野】
【０００１】
本発明は、肌の見え方（appearance）を評価するために用いる肌画像の取得技術に関する。
【背景技術】
【０００２】
素肌や化粧肌を評価する際に、被写体となる肌の撮像画像が用いられる。一方で、肌の見え方は、照度や光の方向や色などによって変わってくる。よって、肌の撮影方法や撮影環境は、肌の見え方を高精度に評価するためには大変重要な要素となる。
【０００３】
下記特許文献１には、撮影毎に簡単に照明手段の照明光量の変動に対応可能な人物写真撮影装置が記載されている。下記特許文献２には、皮膚表面に対する照明光の入射角及び撮影装置における表面反射光成分の受光角の両方又はいずれか一方を異なる２方向以上設定して、表面反射光成分を測定した後、それら異なる表面反射光成分の傾向から皮膚の質感（老化度合）を評価する手法が記載されている。下記特許文献３には、被写体の撮影部位の上下左右の４方向から照明することのできる複数の光源の点灯及び消灯を独立的に切り替えることができる照明装置が記載されている。
【先行技術文献】
【特許文献】
【０００４】
【特許文献１】特開平１０−２７１４２３号公報
【特許文献２】特開２００２−１７６８９号公報
【特許文献３】特開２００４−２５１７５０号公報
【発明の概要】
【発明が解決しようとする課題】
【０００５】
人の肌は、日常、様々な照明条件下で見られている。屋外でも、早朝、日中、夕方、夜間のような時間帯、晴天、曇天のような天候、日向、日陰のような場所などによって、照明条件は異なる。屋内でも、外光の状況や入り込み方、屋内照明の種類や設置位置などによって、照明条件は異なる。また、人の肌は、様々な観察方法（距離、角度、視点等）で見られている。
【０００６】
人の肌の見え方は照明条件や観察方法によって変わるため、それを評価する場合には、評価条件としての照明条件及び観察方法をどのように設定するかが重要となる。例えば、化粧料の開発及び評価は、生活場面（場所）によって化粧効果に違いがでないように、様々な生活場面に注目して行われている。しかしながら、現状、日常の様々な生活場面での、化粧顔を短時間で効率よく、再現性高く、観察することは困難である。洗面台前の化粧肌と屋外の日の当たる場所での化粧肌とを観察しようとすると、実際の場所に被験者を移動させる必要があった。移動に時間を要すると、化粧肌の状態は変わってしまい、適切に評価をすることができない。このような課題は、素肌の評価においても当てはまる。
【０００７】
上記特許文献３の照明装置は、肌の色の評価や肌の凹凸の記録等の撮影目的に適した画像を撮ることを目的としており、上述のような日常の生活場面を想定した実際の評価条件を再現することはできない。
【０００８】
このような課題に鑑みて、本発明は、実環境での被験肌の見え方を仮想的に再現する画像を取得可能とする技術を提供する。
【課題を解決するための手段】
【０００９】
本発明の各態様では、上述した課題を解決するために、それぞれ以下の構成を採用する。
【００１０】
第１の態様に係る肌評価方法は、照明条件を調整可能な照明装置により照らされた被験肌を撮像装置で撮像することで得られる画像を用いる。この肌評価方法は、被験肌を評価する実環境に対応する照明条件とカメラパラメータとの組み合わせにおける照明条件を照明装置に設定し、その組み合わせにおけるカメラパラメータを撮像装置に設定し、設定された照明条件で照明装置により照らされた被験肌を、設定されたカメラパラメータで撮像装置に撮像させることにより、評価する実環境での被験肌の見え方を疑似的に表す画像を撮像する、ことを含む。
【００１１】
第２の態様に係る肌評価支援システムは、照明条件を調整可能な照明装置により照らされた被験肌を撮像装置で撮像することで得られる画像を用いる。この肌評価支援システムは、被験肌を評価する実環境に対応する照明条件とカメラパラメータとの組み合わせにおける照明条件が照明装置に設定され、その組み合わせにおけるカメラパラメータが撮像装置に設定され、設定された照明条件で照明装置により照らされた被験肌を、設定されたカメラパラメータで撮像装置に撮像させることにより、評価する実環境での被験肌の見え方を疑似的に表す画像を撮像する。
【発明の効果】
【００１２】
上記各態様によれば、実環境での被験肌の見え方を仮想的に再現する画像を取得可能とする技術を提供することができる。
【図面の簡単な説明】
【００１３】
【図１】本実施形態における肌評価方法を示すフローチャートである。
【図２】本実施形態における肌評価支援システムを模式的に示す側面図である。
【図３】本実施形態における肌評価支援システムの背面図である。
【図４】本実施形態における肌評価支援システムでの、照明条件としての位置方向を説明する図である。
【図５】本実施形態における肌評価支援システムでの、照明条件としての照明方向を説明する図である。
【図６】第一変形例における肌評価支援システムの情報処理装置のハードウェア構成例を示す図である。
【図７】情報処理装置の処理構成例を概念的に示す図である。
【図８】トイレの洗面化粧台前の被験肌（化粧肌）の見え方を再現するように撮像された画像を示す図である。
【図９】オフィス内の被験肌（化粧肌）の見え方を再現するように撮像された画像を示す図である。
【図１０】曇天時の屋外の被験肌（化粧肌）の見え方を再現するように撮像された画像を示す図である。
【図１１】検証に用いる各画像の部位を示す図である。
【発明を実施するための形態】
【００１４】
本願は、肌評価方法及び肌評価支援システムの発明であるが、肌評価支援システムを利用して肌評価を実施する方法であるため、以下に肌評価支援システムの構成を示しながら、肌評価方法に必要な設定や基準を同時に説明する。なお、以下に挙げる実施形態は例示であり、本発明は以下の実施形態の構成に限定されない。
【００１５】
〔肌評価方法〕
図１は、本実施形態における肌評価方法を示すフローチャートである。本実施形態における肌評価方法（以降、単に評価方法と略称する場合もある）は、肌評価支援システムにより撮像される画像を用いて、被験肌の見え方を評価する。肌評価支援システムは、被験肌を照らすための照明条件を調整可能な照明装置、この照明装置により照らされた被験肌を撮像可能な撮像装置等を有する。肌評価支援システムの詳細については後述する。
【００１６】
本実施形態における評価方法は、例えば、評価者により実施される。但し、本実施形態における評価方法の実行主体は、評価者のみに制限されない。例えば、当該評価方法の一部又は全部が、後述の肌評価支援システムにより実行されてもよい。当該評価方法の実行主体については、後に補足説明する。
本実施形態における評価方法は、図１に示されるように、工程（Ｓ１１）から（Ｓ１５）を含む。
【００１７】
工程（Ｓ１１）において、評価者は、評価条件を決め、この評価条件に対応する、照明条件及びカメラパラメータの組み合わせを選択する。評価条件に対応するそれら組み合わせは、予め決められており、印刷媒体や表示装置等により提示されてもよい。評価条件は、被験肌を評価する実環境及び観察方法などにより決めている。よって、言い換えれば、評価者は、被験肌を評価する実環境及び観察方法に対応する、照明条件及びカメラパラメータの組み合わせを選択する。
【００１８】
評価条件としての実環境は、被験肌（被験者）及び評価者が実際に存在する場所であって、その評価者がその被験肌を直接観察する場所に相当する。但し、本実施形態では、当該実環境に実際に出向くことなく、画像を用いてどこでも評価可能とするため、当該実環境は、或る照明条件で照射された被験肌が撮像された画像により仮想的に実現される。つまり、その撮像画像は、評価条件としての実環境に存在する被験肌をその実環境において評価者が直接観察した場合のその被験肌の見え方を表すものとなる。当該実環境は、例えば、日常生活において、各人が、自身の肌の見え方を気にする場所に設定される。そのような場所としては、例えば、トイレの洗面化粧台前、オフィス内、屋外等が例示される。但し、本実施形態は、評価条件としての実環境を何ら制限しない。
【００１９】
照明条件として、照明の、数、照度、位置方向、照明方向（照射角度）、色、及び光源の種類の少なくとも１つ、又は全てが指定される。但し、照明条件として照明についての他の条件が指定されてもよい。本実施形態では、評価条件に対応する、照度、位置方向、照明方向及び色が予め決められる。照明条件として指定される照度は、肌評価支援システムの撮像環境における被験肌上の明るさ度合を人間の視感度を考慮して表される情報である。照度は、光源からの距離や光の入射角によって変わるため、照明装置の出力レベルだけでなく、照明装置と被験肌との位置関係にも依存する。よって、照明条件で指定される照度は、照明装置の出力レベル（明るさ調節状態）や照明装置と被験肌との位置関係により間接的に示されてもよい。実環境毎の照度の決定方法については後述する。
【００２０】
照明条件として指定される照明の数は、光源の数を示す。また、照明条件として指定される光源の種類には、白熱電球、外部電極型蛍光管、ＬＥＤ（Light Emitting Diode）等が挙げられる。
【００２１】
照明の位置方向は、被験肌に対する照明装置の光源の位置を示す。照明方向は、照明装置の光源の、被験肌に対する照射角度を示す。照明の位置方向及び照明方向の詳細については後述する。例えば、照明の位置方向は、上下左右のレベルで示されてもよいし、更に詳細に、上下左右の各々について位置角度で示されてもよい。例えば、実環境がトイレの洗面化粧台前の場合、照明条件の位置方向として上方向のみが設定され、実環境がオフィス内の場合、照明条件の位置方向として上、左及び右の３方向が設定される。
【００２２】
照明の色は、評価条件に対応するように決められ、色温度で示される。例えば、実環境がオフィス内の場合、照明条件として５０００ケルビン（Ｋ）が設定され、実環境が曇天の屋外の場合、照明条件として６５００Ｋが設定される。但し、実環境毎に決められる照明の位置方向、照明方向及び色は限定されない。
【００２３】
照明条件は、様々な評価条件（実環境）に適合可能でかつ照明装置により実現できる範囲に決められればよい。本実施形態では、照明条件の位置方向は、少なくとも２方向から照射することを含み、当該少なくとも２方向は、被験肌の前方かつ上方からの方向を含む。
【００２４】
カメラパラメータとは、シャッタースピード、フレームレート、絞り値、ＩＳＯ（International Organization for Standardization）感度、ホワイトバランス等の、肌評価支援システムの撮像装置で調整可能な設定情報及び撮影条件の少なくとも１つ、又は全てを含む。撮影条件には、被験肌と撮像装置との距離及び撮影角度のいずれか一方又は両方が含まれる。本実施形態では、評価条件に応じて決められるカメラパラメータには、設定情報としてのシャッタースピード及び撮影条件としての被験肌と撮像装置との距離が含まれる。
【００２５】
なかでも、露出量の調整は、シャッタースピード、絞り値を制御することから得られる。また、シャッタースピードと絞り値から得られるＥＶ値（exposure value）でも制御することができる。静止画の場合は、被写界深度の関係からシャッタースピードが好ましく、表示装置を設置して確認しても良い。動画の場合は、フレームレートを調整する事により、リアルタイムで評価する実環境での試験肌の見え方を疑似的に表す画像を確認する事ができ好ましい。その場合、肌評価支援システムの構成に表示装置を設置する事でリアルタイムに動画像で観察する事ができる。
【００２６】
動画の場合、撮像装置２０のカメラ２１は、被験肌の動画を撮影する。撮影された動画像のデータは、通信や可搬型記録媒体を介してカメラ２１から取り出される。また、カメラ２１に接続された表示装置により、カメラ２１により撮影されているリアルタイム映像が出力されてもよい。カメラ２１で動画像を撮影する場合、カメラ２１の仕様によっては、フレームレートに応じて設定可能なシャッタースピードに制限がかかる場合がある。よって、実環境に応じて照明条件との組み合わせとして決められるカメラパラメータには、フレームレートが更に設定されてもよい。この場合、当該実環境に応じて決められたシャッタースピードを撮像装置２０に設定できるようにフレームレートが設定変更されればよい。
【００２７】
本実施形態は、様々なタイプの実環境の明るさを、照明条件としての照度とカメラパラメータとしてのシャッタースピードとの組み合わせのバリエーションによって実現する。
【００２８】
図４は、本実施形態における肌評価支援システムでの、照明条件としての位置方向を説明する図である。本実施形態における肌評価支援システムでは、例えば、上側の位置方向は、顎台３０に顎を載せた被験者の顔の中央部位（例えば、頬、鼻）と光源ボックス１１ａの光出射面１２ａの上下方向の中心点を結んでなる中心線とを含む平面ＰＬ２と、その被験者の顔の中央部位を通る水平面ＰＬ１とがなす角度（Ｘ）により示される。同様に、下側の位置方向は、その被験者の顔の中央部位と光出射面１２ｂの上下方向の中心点を結んでなる中心線とを含む平面と、その被験者の顔の中央部位を通る水平面とがなす角度（図示せず）により示される。また、左側の位置方向は、その被験者の顔の中央部位と光出射面１２ｃの左右方向の中心点を結んでなる中心線とを含む平面と、正面視方向と平行でかつ水平面と直交しその被験者の顔の中央部位を通る平面とがなす角度（図示せず）により示される。右側の位置方向は、その被験者の顔の中央部位と光出射面１２ｄの左右方向の中心点を結んでなる中心線とを含む平面と、正面視方向と平行でかつ水平面と直交しその被験者の顔の中央部位を通る平面とがなす角度（図示せず）により示される。
【００２９】
位置方向を示す角度（Ｘ）は、５度から８５度の範囲で決められることが好ましく、１０度から７０度の範囲がより好ましく、２０度から６０度の範囲が更に好ましい。また、位置方向は、１又は２方向（上下方向）のみならず、３方向（上左右）、４方向（上下左右）であってもよい。
【００３０】
図５は、本実施形態における肌評価支援システムでの、照明条件としての照明方向を説明する図である。本実施形態における肌評価支援システムでは、例えば、上側の照明方向は、顎台３０に顎を載せた被験者の顔の中央部位（例えば、頬、鼻）と光源ボックス１１ａの光出射面１２ａの上下方向の中心点を結んでなる中心線とを含む平面ＰＬ２を基準面として、その基準面ＰＬ２と、その中心線で光出射面１２ａに直交する平面ＰＬ３とがなす角度（Ｙ）により示される。例えば、角度（Ｙ）は、基準面ＰＬ３から上方の角度を正とし、その反対方向（下方）の角度を負とする。このような角度（Ｙ）の正及び負の情報により被験肌上での陰影の付き方を区別することができる。この角度（Ｙ）は、上方光源支持機構１３ａにより調整され得る。下側の照明方向は、その被験者の顔の中央部位と光出射面１２ｂの上下方向の中心点を結んでなる中心線とを含む平面（基準面）と、その中心線で光出射面１２ｂに直交する平面とがなす角度（図示せず）により示される。この角度は、下方光源支持機構１３ｂにより調整され得る。左側の照明方向は、その被験者の顔の中央部位と光出射面１２ｃの左右方向の中心点を結んでなる中心線とを含む平面（基準面）と、その中心線で光出射面１２ｃに直交する平面とがなす角度（図示せず）により示される。この角度は、左方光源支持機構１３ｃにより調整され得る。右側の照明方向は、その被験者の顔の中央部位と光出射面１２ｄの左右方向の中心点を結んでなる中心線とを含む平面（基準面）と、その中心線で光出射面１２ｄに直交する平面とがなす角度（図示せず）により示される。この角度は、右方光源支持機構１３ｄにより調整され得る。
【００３１】
照射方向（角度Ｙ）は、−４５度から９０度の範囲で決められることが好ましく、−３０度から６０度の範囲がより好ましく、−１０度から４５度が更に好ましい。
【００３２】
人の肌が見られる日常生活場における明るさのレンジは非常に大きい。雰囲気のあるバーやレストラン内や昼休憩時の消灯されたオフィス内のように薄暗い環境から、晴天時の太陽下のように非常に明るい環境まで、様々な光環境下で人の肌は見られる。このような多様な明るさを照明装置の光源のみで実現しようとすると、照明装置の規模やコストが増大する。仮に照明装置の光源のみにより多様な明るさを実現できたとしても、その照明装置により照らされる被験者の負担が大きくなってしまう。そこで、本発明者らは、照明装置から照射される光量の変化幅を抑えながら、多様な明るさ環境下での肌評価を実現することという新たな技術的課題を見出した。そして、本発明者らは、照明装置から照射される光量の変化と、撮像装置の露出量の変化とを組み合わせることで、多様な明るさ環境を撮像画像上に仮想的に実現するという着想を得た。撮像装置の露出量は、フィルム又は撮像素子に当たる光の量に相当する。よって、実際に被験肌に当てる光（照明光）の量の変化とその被験肌からの反射光の撮像量の変化との組み合わせにより、撮像画像上に多様な明るさ環境を実現できることは光学的に説明可能である。
【００３３】
本実施形態は、撮像装置の露出量をシャッタースピードにより変化させる。撮像装置の露出量は、絞り値でも変化させることができる。しかしながら、絞り値を変化させると、被写界深度が変わり、明るさ以外の見え方因子に影響を与える可能性がある。そこで、本実施形態は、絞り値を一定のままシャッタースピードを変えることで、多様な明るさ環境を実現した。但し、本実施形態は、シャッタースピードのみを変えることに限定するものではなく、シャッタースピードに加えて絞り値を変えてもよい。
【００３４】
本発明者らは、照明装置の出力と撮像装置のシャッタースピードの設定とを変えながら、実際に肌画像を撮像し、各画像内の肌の見え方が実環境の明るさに近いかどうかを専門家にそれぞれ評価させた。本発明者らは、このような試行錯誤を重ねることで、様々なタイプの各実環境に対応する、照明条件としての照度とシャッタースピードとの各組み合わせを決定した。本発明者らは、このような決定手法を用いることで、撮像画像上で仮想的に実現される明るさ環境を人間の視覚に適合させた。
【００３５】
これにより、或るシャッタースピードと組み合される照度（肌評価支援システムの撮影環境で実現される照度）が、想定される実環境下での標準照度とは異なる値に決定される。例えば、実環境が曇天の屋外の昼間の太陽下の場合に、標準照度は３万ｌｘ以上とみなされているところ、照明条件としての照度は、シャッタースピード１／４０（秒）との組み合わせに応じて、１８００（ｌｘ）に決定される。逆に、照明条件としての照度が、実環境の標準照度よりも明るい値に決定されてもよい。
【００３６】
上述したとおり、撮像装置の露出量は、シャッタースピードのみでなく、絞り値でも変化させることができ、ＥＶ値（exposure value）で表すこともできる。よって、照明条件としての照度とＥＶ値との組み合わせを、様々なタイプの実環境の各々に対して決めることもできる。この場合、ＥＶ値は、−５から２５の範囲で決められることが好ましく、−２から２２の範囲がより好ましく、０から２０の範囲が更に好ましい。
【００３７】
肌の見え方の評価には、毛穴やキメのような局所的な評価や、腕、足、手、顔全体の印象のような大局的な評価が含まれ得る。このような評価バリエーションに応じて、観察方法が決められる。例えば、大局的な評価が要求される場合には、その部位全体が撮像されるような撮影位置及び撮影角度が設定される。また、局所的な評価が要求される場合には、その局部が写るような撮影位置及び撮影角度が設定される。後述の肌評価支援システムは、このような多様な観察方法に対応するために、撮像装置の撮影位置及び撮影角度を容易に調整できるような構造を有する。
【００３８】
複数タイプの評価条件に対応する、照明条件及びカメラパラメータの複数組み合わせが提供されている場合には、評価者は、その複数組み合わせの中から、今回の評価条件に対応する１つの組み合わせを選択することもできる。複数タイプの評価条件に対応する複数の組み合わせは、印刷媒体で提供されていてもよいし、表示装置に表示されていてもよい。
【００３９】
工程（Ｓ１２）において、評価者は、（Ｓ１１）で決定された照明条件を照明装置に設定する。例えば、評価者は、照明条件として指定される照度、位置方向、照明方向及び色となるように照明装置を設定する。更に具体的には、評価者は、肌評価支援システムの撮影環境における被験肌上の照度が、その被験肌を評価する或る実環境での標準照度とは異なる、その実環境に関連付けられて予め決められた照度となるように、照明装置の出力を設定する。照明条件の照明装置への具体的な設定方法については、肌評価支援システムの説明内で詳述する。
【００４０】
工程（Ｓ１３）において、評価者は、（Ｓ１１）で決定されたカメラパラメータを撮像装置に設定する。撮像装置に独自のユーザインタフェース（ＵＩ）が設けられている場合には、評価者は、そのＵＩを用いて、シャッタースピード等のカメラパラメータをその撮像装置に設定する。更に、評価者は、カメラパラメータとして被験肌と撮像装置との距離及び撮影角度を示す撮影条件が指定されている場合には、そのような距離及び角度に撮像装置を調節する。肌評価支援システムにおける撮像装置の撮影条件を調整可能とする構造については後述する。
【００４１】
工程（Ｓ１４）において、評価者は、（Ｓ１２）で設定された照明条件で当該照明装置により照らされた被験肌を、（Ｓ１３）で設定されたカメラパラメータを用いて当該撮像装置に撮像させる。例えば、評価者は、（Ｓ１２）及び（Ｓ１３）の設定を終えた状態で、撮像装置のシャッターボタンを押下する。撮像装置で撮像された肌画像のデータは、通信や可搬型記録媒体を介して、撮像装置から取り出される。評価者は、取り出された画像データを表示装置に表示させてもよいし、プリンタに印刷させてもよい。また、シャッターボタンの押下後、自動で、所定の表示装置やプリンタに出力されるようにすることも可能である。
【００４２】
工程（Ｓ１５）において、評価者は、（Ｓ１４）の撮像で得られた画像を用いて、被験肌の見え方を評価する。（Ｓ１４）の撮像で得られた画像は、実環境での被験肌の見え方を仮想的に再現しているため、評価者は、その画像を用いて、対象の実環境における被験肌を、対象の観察方法で見た場合の見え方を評価することができる。本実施形態では、画像を用いた実際の評価手法は何ら制限されない。
【００４３】
ここで、上記被験肌となり得る肌は、人体のどの部位の肌であってもよい。例えば、顔面、頬、額、鼻、顎、唇等の顔面の一部、首、腕、足、背中等が、被験肌となり得る。また、髪の表面が当該被験肌とされてもよい。また、被験肌は、素肌であってもよいし、化粧料が施された化粧肌であってもよい。化粧料の施された肌が被験肌とされる場合には、（Ｓ１４）の撮像で得られた画像を用いて、その被験肌に対する当該化粧料の適合性及び塗布状態を評価することができる。化粧料の適合性は、被験肌に対してその化粧料が合っているか否か、又は、その適合度合を示す。また、化粧料の塗布状態は、肌に対するその化粧料の塗布の仕方の適切さを示す。例えば、画像から、化粧が肌に密着していない状態（化粧ノリが悪い状態又は化粧が浮いている状態）が検出されれば、化粧料の適合性が低い可能性又は化粧料の塗布の仕方が悪い可能性がある。また、化粧料がまだらに存在している状態が検出されれば、化粧料の塗布の仕方が悪い可能性がある。本実施形態では、肌評価支援システムで得られた画像を用いることで、素肌の評価のみでなく、このような化粧肌の評価も行うことができる。
【００４４】
図１では、複数の工程が順番に表されているが、本実施形態で実行される工程及びその工程の実行順序は、図１の例のみに限定されない。（Ｓ１２）及び（Ｓ１３）は、逆の順番で実行されてもよいし、可能な場合には並行して実行されてもよい。
【００４５】
〔肌評価支援システム〕
以下、本実施形態における肌評価支援システムの構成について、図２及び図３を用いて説明する。図２は、本実施形態における肌評価支援システムを模式的に示す側面図である。図３は、本実施形態における肌評価支援システムの背面図である。以下の説明では、撮像装置２０から被験者（被験肌）に向かう方向を正面視方向として設定し、この正面視方向に対して左右方向を設定して、説明される。但し、図２及び図３に示される構造は一例に過ぎず、肌評価支援システム１の構造は、これら図示されるものに限定されない。
【００４６】
本実施形態における肌評価支援システム（以降、支援システムと略称する場合もある）１は、照明装置１０、撮像装置２０及び顎台３０を有する。
【００４７】
顎台３０は、被験者の顎を載せる台である。顎台３０に顎を載せることで、被験者の頭部は固定される。図２は、顔の肌が被験肌とされる例を示すが、被験肌が手、腕や足の肌である場合には、手、腕や足を固定的に載せる台が設けられればよい。
【００４８】
照明装置１０は、上述のような照明条件を調整可能であり、設定された照明条件で被験肌を照らす装置である。照明装置１０は、次のような構造を有することにより、各種照明条件を実現する。
【００４９】
照明装置１０は、光源をそれぞれ収容する４つの光源ボックスを有する。光源は、照明条件として指定される最大照度及び色を実現可能なものであれば、蛍光ランプ、ＬＥＤ（Light Emitting Diode）等、特に制限されない。照明装置１０は、左右方向に長い上方光源ボックス１１ａ及び下方光源ボックス１１ｂ、上下方向に長い左方光源ボックス１１ｃ及び右方光源ボックス１１ｄを有する。各光源ボックスは、符号１１で総称される。各光源ボックス１１は、正面視及び背面視にて被験肌を上下左右で囲む。本実施形態では、各光源ボックス１１は、顎台３０に顎を載せた被験者の顔の一部又は顎台３０を中心に上下左右で囲む。
【００５０】
各光源ボックス１１は、側面視にて被験肌から所定距離離れた位置の垂直面上に並ぶ光出射面１２ａ、１２ｂ、１２ｃ及び１２ｄをそれぞれ有する。各光出射面は、符号１２により総称される。本実施形態では、各光出射面１２は、水平方向をそれぞれ向いている状態で、顎台３０から所定距離離れた位置の垂直面上に並ぶ。ここでの垂直面上に並ぶとは、完全に平面上に位置することのみを意味するわけではなく、垂直面から多少ずれた位置に並ぶことも含む。
【００５１】
このような４つの光源ボックス１１の配置により、照明条件としての照明の大まかな位置方向が調整可能となる。例えば、位置方向が上下左右のレベルで指定される場合には、４つの光源ボックス１１の中の指定された少なくとも１つが光を照射すればよい。
【００５２】
更に、照明装置１０は、上方光源ボックス１１ａ及び下方光源ボックス１１ｂをそれぞれ上下方向に揺動可能に支持する上方光源支持機構１３ａ及び下方光源支持機構１３ｂと、左方光源ボックス１１ｃ及び右方光源ボックス１１ｄをそれぞれ左右方向に揺動可能に支持する左方光源支持機構１３ｃ及び右方光源支持機構１３ｄとを有する。上方光源支持機構１３ａ及び下方光源支持機構１３ｂにより、光出射面１２ａ及び１２ｂは、上下方向（図３紙面の上下方向）に傾く。左方光源支持機構１３ｃ及び右方光源支持機構１３ｄにより、光出射面１２ｃ及び１２ｄは、左右方向（図３紙面の左右方向）に傾く。このような各光源支持機構１３により、照明条件としての照明方向が調整可能となり、照明方向が被験肌に直交するように調整することもできる。
【００５３】
また、照明装置１０は、上方光源ボックス１１ａ及び下方光源ボックス１１ｂの上下方向の位置を変更可能とする位置調整機構１４ａ及び１４ｂ（図示されず）と、左方光源ボックス１１ｃ及び右方光源ボックス１１ｄの左右方向の位置を変更可能とする位置調整機構１４ｃ及び１４ｄとを更に有する。図３に示されるように、本実施形態では、各位置調整機構１４はガイドレールをそれぞれ含み、各光源支持機構１３が各光源ボックス１１とは逆の端部でガイドレールとそれぞれ係合する。これにより、各光源ボックス１１は、各光源支持機構１３を介して、ガイドレールに沿って移動する。各位置調整機構１４により、被験肌と光源との間の距離及び照明の位置方向を調整することができる。
【００５４】
照明装置１０は、各光源ボックス１１の光源の出力を切り替える光制御部１８を有する。光制御部１８は、各種ハードウェア回路により実現される。そのハードウェア回路には、ＭＰＵ（Micro Processer）等のプロセッサも含まれ得る。光制御部１８は、このようなプロセッサにより、メモリに格納されるプログラムが実行されることで、各種制御を実行することもできる。
【００５５】
光制御部１８は、照明条件として指定される位置方向の光源から光が照射されるように、各光源ボックス１１の光源の出力（ＯＮ／ＯＦＦ）をそれぞれ切り替える。具体的には、光制御部１８は、制御パネルを含み、被験肌上の照度が制御パネルに対するユーザ操作に対応する照度となるように、各光源ボックス１１の光源の明るさを切り替える。本実施形態では、明るさの切り替え方法は限定されない。例えば、光源への電力供給のＯＮ／ＯＦＦ切り替えで明るさが切り替えられてもよいし、インバーター回路などによる周波数切り替えで明るさが切り替えられてもよい。照度は、２５ルクス（ｌｘ）から１５０００ｌｘの範囲で決められることが好ましく、５０ｌｘから１２５００ｌｘの範囲がより好ましく、１００ｌｘから１００００ｌｘの範囲が更に好ましい。
【００５６】
また、各光源ボックス１１の光源が光色を調整可能である場合、光制御部１８は、照明の色が制御パネルに対するユーザ操作に対応する色となるように、各光源ボックス１１の光源の光色を切り替えることもできる。また、各光源ボックス１１に光色の異なる複数の光源が収容される場合には、光制御部１８は、ユーザ操作に対応する光色となるように、各光源のＯＮ／ＯＦＦを切り替えればよい。また、各光源ボックス１１が、光色の異なる光源毎に異なる光出射面を有している場合、被験肌に向ける光出射面を変えることで、照明の色を切り替えることもできる。色温度は、２０００Ｋから１１０００Ｋの範囲で決められることが好ましい。
【００５７】
光制御部１８が有する制御パネルは、ＯＮ／ＯＦＦ型、スライド型、ロータリー型のような機械式の操作子を有してもよい。また、制御パネルは、ＧＵＩ（Graphical User Interface）により実現されてもよい。この場合、制御パネルは、表示装置及び入力装置の組み合わせ（タッチパネルも含む）により構成される。制御パネルは、照度、位置方向、照明方向及び色等のような照明条件を入力可能とすることもできる。この場合、光制御部１８は、制御パネルに対して入力された照明条件に対応する照度、位置方向、照明方向及び色になるように、各光源ボックス１１の光源の出力を制御すればよい。
【００５８】
ここで、このような照明装置１０に対する照明条件の設定方法及び設定主体についてより詳細に説明する。
【００５９】
設定者は、照明の位置方向として上下左右のレベルが指定される場合、光制御部１８の制御パネルを操作して、４つの光源ボックス１１の中の指定された位置方向に対応する光源ボックス１１の光源をＯＮ状態にする。この場合の設定者の行為は、制御パネルに対する操作である。光制御部１８は、この操作を契機に光源を制御するため、照明装置１０に対する照明の位置方向の設定は、実質上、光制御部１８により実施される。
【００６０】
照明条件として更に細かい照明方向が指定される場合、設定者は、手動で各光源ボックス１１を揺動させてもよい。各光源支持機構１３が電動で各光源ボックス１１を揺動させ得る場合には、設定者は、揺動幅及び揺動方向を指示する操作を行うことで、各光源ボックス１１の角度を変更することができる。この場合、その指示操作を受け付ける制御部（図示せず）が、照明方向の設定を行う主体となる。
【００６１】
照明の色については、設定者は、光制御部１８の制御パネルを操作することで設定することもできるし、各光源ボックス１１の光出射面を手動で切り替える（回転させる）ことで設定することもできる。前者の場合には、照明装置１０に対する照明の色の設定は、実質上、光制御部１８により実施される。
【００６２】
照度については、設定者は、上述のように制御パネルを操作することで設定する。従って、照明装置１０に対する照度の設定は、実質上、光制御部１８により実施される。制御パネルの操作によれば、各光源ボックス１１の光源の出力（光量）が制御される。加えて、設定者は、照明条件としての照度を設定するために、上述の位置調整機構１４に基づいて各光源ボックス１１を移動させることもできる。この移動により、被験肌と各光源ボックス１１の光源との間の距離及び各光源からの光の被験肌への入射角が変わり、被験肌上の照度が変わる。よって、設定者は、各光源の出力と共に、各光源ボックス１１の上下方向又は左右方向の位置を変えることで、照明条件として指定される照度を照明装置１０に設定することもできる。上述の位置調整機構１４が電動で各光源ボックス１１の位置を調整可能な場合には、設定者は、移動幅及び移動方向を指示する操作を行うことで、各光源ボックス１１の位置を変更することができる。この場合、その指示操作を受け付ける制御部（図示せず）が、照度の設定を行う主体となる。
【００６３】
撮像装置２０は、上述のような撮影条件を調整可能であり、設定された撮影条件で被験肌を撮像する装置である。撮像装置２０は、次のような構造を有することにより、各種撮影条件を実現する。
撮像装置２０は、カメラ２１、カメラ支持機構２２、第一位置調整機構２３、第二位置調整機構２４等を含む。これら構成により、撮像装置２０は、被験肌を撮影する位置を調整可能とする。
【００６４】
カメラ２１は、デジタルカメラやフィルムカメラ等である。カメラ２１は、ＧＵＩ又は機械式操作子（ハードウェアボタン等）により、上述のカメラパラメータ（シャッタースピード）を設定可能とする。具体的には、評価条件として設定される実環境での被験肌の見え方を疑似的に表す画像が撮像されるように、照度との組み合わせに応じて予め決められたシャッタースピードがカメラ２１に設定され、カメラ２１は、その設定されたシャッタースピードで、被験肌を撮像する。
【００６５】
カメラ支持機構２２は、カメラ２１を上下方向に揺動可能に支持する。具体的には、カメラ支持機構２２は、揺動調節ネジ３１、柱部３２、台座部３３等を含み、揺動調節ネジ３１が柱部３２を貫通してカメラ２１の三脚穴に挿入されることで、カメラ２１が所望の角度に固定される。台座部３３は、柱部３２を支持する。このように、カメラ支持機構２２によりカメラ２１の撮影角度が可変となる。但し、カメラ支持機構２２は、図示される構造に制限されない。
【００６６】
第一位置調整機構２３は、台座部３３を下方から支持し、カメラ支持機構２２の上下方向の位置を調整可能とする。第一位置調整機構２３は、パンタグラフ構造等のような周知の伸縮構造を有し、その伸縮構造により手動又は電動でカメラ支持機構２２の上下方向の位置を調整する。また、第一位置調整機構２３は、棚の位置の調節機構のような、伸縮構造以外の周知の構造で、カメラ支持機構２２の上下方向の位置を調節することもできる。第一位置調整機能２３の構造は制限されない。このように、第一位置調整機構２３によりカメラ２１の上下方向の位置が可変となる。
【００６７】
また、撮像装置２０は、カメラ支持機構２２の左右方向の位置を調整可能とする第三位置調整機構を更に有してもよい（図示せず）。第三位置調整機構は、第一位置調整機構２３を左右方向にスライド可能とする構造を有していればよい。
【００６８】
第二位置調整機構２４は、カメラ支持機構２２の位置を顎台３０に近付く方向及び顎台３０から離れる方向（以降、前後方向と表記する）に調整可能とする。位置変更は、前後方向に延びる、２本のガイドレール６１及び２本の支持柱６２により実現される。各支持柱６２は、第一位置調整機構２３を支持し、前後方向にスライド可能に各ガイドレール６１とそれぞれ係合する。各ガイドレール６１は固定されているため、各支持柱６２が前後方向にスライドする。このように、第二位置調整機構２４により、カメラ２１の撮像距離が、全顔が写る距離から毛穴やキメが写るような近距離まで可変となる。被験肌と撮像装置との距離は、０．２５メートル（ｍ）から５ｍの範囲で決められることが好ましく、０．３ｍから３ｍの範囲がより好ましく、０．４ｍから２ｍの範囲が更に好ましい。
【００６９】
ここで、このような撮像装置２０に対する撮影条件の設定方法及び設定主体についてより詳細に説明する。
【００７０】
撮像条件としての撮影位置については、設定者は、第一位置調整機構２３を操作することで、カメラ２１の上下方向の位置を設定する。更に、設定者は、第三位置調整機構を操作することで、カメラ２１の左右方向の位置を設定する。加えて、設定者は、第二位置調整機構２４の各支持柱６２を各ガイドレール６１に対して前後方向にスライドさせることにより、カメラ２１の前後方向の位置を設定する。
【００７１】
上述のようにカメラ２１の撮影位置が設定された上で、設定者は、カメラ支持機構２２の揺動調節ネジ３１を操作することで、カメラ２１の撮影角度を設定する。
但し、撮像装置２０の撮影位置及び撮影角度を調整するための上述のような各構成は、電動で動作してもよい。この場合、設定者は、撮影位置及び撮影角度を指示する操作を行うことで、撮影位置及び撮影角度を変更することができる。この場合、その指示操作を受け付ける制御部（図示せず）が、撮影条件の設定を行う主体となる。
【００７２】
〔作用効果〕
上述のように、本実施形態では、評価条件としての被験肌を評価する実環境及び観察方法に対応して予め決められている、照明条件及びカメラパラメータ（撮影条件を含んでもよい）の組み合わせが照明装置１０及び撮像装置２０に設定される。このような組み合わせは、評価条件（実環境及び観察方法）毎に予め決められる。そして、設定された照明条件で照明装置１０により照らされた被験肌が、当該設定された撮影条件で当該設定されたカメラパラメータを用いて撮像装置２０により撮像され、得られた画像上における被験肌の見え方が評価される。
【００７３】
本実施形態によれば、評価条件（実評価環境や観察方法）毎に、照明系と撮影系との両方の因子（照明条件及びカメラパラメータ）の組み合わせを変えて肌画像を撮像することができる。これにより、被験者を実際の場所に移動させることなく、多様な照明環境及び多様な観察方法を有する日常の様々な生活場面での肌の見え方を適切に画像上に再現することができる。従って、本実施形態によれば、日常の様々な生活場面での肌の見え方を短時間で効率よく、再現性高く、観察及び評価することができる。
【００７４】
また、肌評価支援システム１において、照明装置１０が照明条件を容易に設定変更可能な構造を持ち、かつ、撮像装置２０が撮影条件を容易に設定変更可能な構造を持つため、照明系と撮影系との両方の因子の様々な組み合わせを容易に設定することができる。
【００７５】
更に、本実施形態では、上述したとおり、シャッタースピードと照明装置１０に設定される照明条件としての照度との組み合わせにより、人の肌が見られる日常生活場における多様な明るさ環境を撮像画像上に仮想的に実現することができる。これにより、照明装置の規模やコストの増大を抑えつつ、日常の様々な生活場面での肌の見え方を確実に再現することができる。
【００７６】
本実施形態によれば、肌評価支援システムで得られた画像を用いることで、肌の状態を客観的に評価することができるので、その肌の状態に見合った化粧料の選択やアドバイスを的確に行うことができる。例えば、加齢印象、はり感、透明感、化粧感、白浮き、厚塗り、粉っぽさ、肌色、ツヤ感、てかり、仕上がりの色の変化、くすみ、毛穴目立ち、皺の目立ち、シミ・ソバカスの目立ち、くまの目立ち、赤みの目立ち、ファンデーションのたまり、ファンデーションの取れ、ファンデーションのよれ、粉浮き、素肌っぽさ、自然さ、たるみ、立体感、ふんわり感、明るさ、マット感、顔色、滑らかさ、みずみずしさ、等を評価することができる。化粧感とは、顔全体の仕上りの自然さを示す。仕上りが不自然な場合には、白浮きや厚塗り感がみられる。
【００７７】
〔第一変形例〕
肌評価支援システム１は、上述の構成に加えて、図６に示されるような、情報処理装置７０を更に有してもよい。
図６は、第一変形例における肌評価支援システム１の情報処理装置７０のハードウェア構成例を示す図である。情報処理装置７０は、いわゆるコンピュータであり、ＣＰＵ７１、メモリ７２、入出力インタフェース（Ｉ／Ｆ）７３等を有する。
【００７８】
入出力Ｉ／Ｆ７３は、表示装置７４、入力装置７５等と接続可能である。表示装置７４は、ＬＣＤ（Liquid Crystal Display）やＣＲＴ（Cathode Ray Tube）ディスプレイ等である。入力装置７５は、キーボード、マウス等のようなユーザ操作の入力を受け付ける装置である。但し、表示装置７４及び入力装置７５が一体化されたタッチパネルが入出力Ｉ／Ｆ７３に接続されていてもよい。情報処理装置７０は、図６に図示しないハードウェア要素を含んでもよく、情報処理装置７０のハードウェア構成は制限されない。
【００７９】
図７は、情報処理装置７０の処理構成例を概念的に示す図である。情報処理装置７０は、表示処理部８１、格納部８３等を有する。これら各処理部は、例えば、ＣＰＵ７１によりメモリ７２に格納されるプログラムが実行されることにより実現される。また、当該プログラムは、例えば、ＣＤ（Compact Disc）、メモリカード等のような可搬型記録媒体やネットワーク上の他のコンピュータから入出力Ｉ／Ｆ７３又は通信ユニット（図示せず）を介してインストールされ、メモリ７２に格納されてもよい。
【００８０】
格納部８３は、評価条件として想定される各実環境について、実環境のタイプを示す環境タイプと、照明条件及びカメラパラメータの組み合わせとを対応付けてそれぞれ格納する。環境タイプは、トイレの洗面化粧台前、オフィス内の窓際、曇天時の屋外、晴天時の屋外の太陽下等のような各実環境のタイプを識別し得る情報である。実環境毎の当該組み合わせは、照明装置１０及び撮像装置２０の設定を変えながら、実際に肌画像を撮像し、各画像内の肌の見え方がその実環境に近いかどうかを専門家にそれぞれ評価させることで予め決められることが望ましい。
【００８１】
表示処理部８１は、格納部８３を参照することにより、評価対象となる実環境に対応する、照明条件及びカメラパラメータの組み合わせを表示装置７４に表示させる。評価者は、表示装置７４に表示される当該組み合わせを見ることで、評価条件に対応する、照明条件及びカメラパラメータの組み合わせを決定することができる（図１のＳ１１）。
【００８２】
また、表示処理部８１は、格納部８３に格納される複数の環境タイプに対応する複数の環境タイプ情報を表示装置７４に表示させ、表示された複数の環境タイプ情報に対するユーザの選択操作に応じて、評価対象となる実環境を特定するようにしてもよい。この場合、評価者は、表示装置７４に表示される複数の環境タイプ情報の中から、今回の評価対象となる実環境のタイプを選択操作する。表示処理部８１は、この選択操作された実環境のタイプに対応する、照明条件及びカメラパラメータの組み合わせを格納部８３から抽出し、それらを表示装置７４に表示させることができる。
【００８３】
このような変形例によれば、評価者に、評価条件としての実環境に対応する照明条件及びカメラパラメータの組み合わせを容易に取得させることができる。更に、本変形例によれば、評価者に評価条件としての実環境の選択をさせることで、その実環境に対応する照明条件及びカメラパラメータの組み合わせを照明装置１０及び撮像装置２０に自動で設定することもできる。
【００８４】
〔第二変形例〕
上述の実施形態及び第一変形例では、評価条件に対応するカメラパラメータとして撮影条件が撮像装置２０に設定された。言い換えれば、肌評価支援システム１の撮像装置２０が撮影条件を調整可能であった。しかしながら、撮像装置２０のカメラ２１が固定されており、撮像装置２０が撮影条件を調整できなくてもよい。
【００８５】
このように、撮影条件が調整できない場合には、様々な観察方法に柔軟に対応することはできないかもしれない。しかしながら、大局的な肌評価のみ、局所的な肌評価のみといった限られた観察方法での肌評価に対応すればよい場合には、いずれかの評価に適した撮影位置及び撮影角度にカメラ２１が固定されていればよい。このような第二変形例においても、多様な明るさ環境を撮像画像上に仮想的に実現することは可能であり、様々な照明条件での肌評価を効率的に行うことは可能である。
【００８６】
以下に実施例を挙げ、上述の実施形態を更に詳細に説明する。以下の実施例では、評価条件として想定される実環境毎に実際に決められた照明条件及びカメラパラメータの組み合わせ、及び、その組み合わせを設定した照明装置１０及び撮像装置２０で実際に被験肌を撮像した画像が例示される。但し、上述の実施形態の内容は、以下の内容に限定されない。
【実施例】
【００８７】
図８、図９及び図１０は、肌評価支援システム１において、ファンデーションが施された同一人物（被験者）が３つの実環境に対応する照明条件及びカメラパラメータの各組み合わせにより撮像された画像を示す。各図の画像の右横には、用いられた照明条件及びカメラパラメータの組み合わせが表記されている。照明条件としては、照度、位置方向、照明方向及び色（色温度）が設定され、カメラパラメータとしては、シャッタースピード（ＳＰと表記される）とカメラ２１と被験肌との間の距離（撮影条件）が設定された。照度としては被験肌上で照度計により測定された実測値が示される。なお、カメラパラメータが勝手に変更されるのを防ぐためにオートフォーカス機能は停止され、シャッタースピード以外のカメラパラメータは固定された（例えば、しぼり値はＦ５．６で固定された）。カメラ２１には、ニコン社製のデジタルカメラＤ７１００が利用された。
【００８８】
また、各図において、（ａ）と（ｂ）とでは、カメラパラメータの撮影条件としてのカメラ２１と被験肌との間の距離（１．５メートルと０．４５メートル）が異なり、（ａ）は、大局的な肌評価のための観察条件での肌の見え方を表し、（ｂ）は、局所的な肌評価のための観察条件での肌の見え方を表す。
【００８９】
図８は、トイレの洗面化粧台前の被験肌（化粧肌）の見え方を再現するように撮像された画像を示す。この場合の照明条件としての照明の位置方向は、実際のトイレの洗面化粧台前の環境に合わせて、上からの一方向のみに設定された。照明色については、実際のトイレの洗面化粧台前に設置される光源の標準的な色温度に設定された。照度については、実際のトイレの洗面化粧台前での平均的な照度に設定された。シャッタースピードは、上記照明条件下において実際に撮像して評価を繰り返すことで最適な値に設定された。
【００９０】
図９は、オフィス内の被験肌（化粧肌）の見え方を再現するように撮像された画像を示す。この場合の照明条件としての照明の位置方向は、実際のオフィス内の環境に合わせて、上、左及び右からの三方向に設定された。照明色については、実際のオフィス内に設置される光源の標準的な色温度に設定された。照度については、実際のオフィス内での人の顔あたりの平均的な照度に設定された。シャッタースピードは、上記照明条件下において実際に撮像して評価を繰り返すことで最適な値に設定された。オフィス内の環境では、トイレの洗面化粧台前の環境よりも照度が高く設定されているだけでなく、シャッタースピードを速くすることで、露出量を減らし、画像の明るさを増加させている。
【００９１】
図１０は、曇天時の屋外の被験肌（化粧肌）の見え方を再現するように撮像された画像を示す。この場合の照明条件としての照明の位置方向は、実際の曇天時の屋外の環境に合わせて、上、左及び右からの三方向に設定された。照明色については、実際の曇天時の屋外での光の色に合わせた色温度に設定された。照度については、照明装置１０における上記三方向の光源を最大出力させた場合の測定値が表記されている。シャッタースピードは、上記照明条件下において実際に撮像して評価を繰り返すことで最適な値に設定された。屋外の環境では、オフィス内の環境よりも更に照度が高く設定されているだけでなく、シャッタースピードを更に速くすることで、露出量を更に減らし、画像の明るさを更に増加させている。
【００９２】
図８、図９及び図１０を見ると、各々の画像で、被験肌の見え方に差異があることが確認できる。特に、各図の（ｂ）の画像、即ち、接近して撮像された画像において、このことが顕著に表れる。これにより、各画像が各実環境下での肌の見え方を適切に再現しているといえる。更に、各図の元のカラー画像を専門家が評価することで、実際の各環境（トイレの洗面化粧台前、オフィス内、及び、曇天時の屋外）における肌の見え方が適切に再現されていることが検証されている。図８、図９及び図１０の各（ｂ）には、当該カラー画像を用いた専門家の評価により毛穴の目立ち度合が数値化された値がそれぞれ示されている。
【００９３】
更に、図８、図９及び図１０で示される、肌評価支援システム１で得られた各画像を次のように分析することで、上記検証結果がデータ面で補足される。
図１１は、検証に用いる各画像の部位を示す図である。図１１（ａ）は、図８、図９及び図１０における（ａ）の画像と同一の距離（１．５メートル）から被験肌が撮像された画像を示し、図１１（ｂ）は、各図の（ｂ）の画像と同一の距離（０．４５メートル）から被験肌が撮像された画像を示す。
【００９４】
撮像装置２０により取得された被験肌の画像データがＰＣ（Personal Computer）に取り込まれ、ＰＣにおいて、その画像データから図１１に示される対象部位の画像データが抽出された。具体的には、図１１（ａ）から抽出された画像データは、横５００ピクセル、縦５００ピクセルの正方形の画像を示し、図１１（ｂ）から抽出された画像データは、横２０００ピクセル、縦２０００ピクセルの正方形の画像を示す。抽出された画像データにおいて、画素毎に、２５６諧調で表される輝度値が算出された。この輝度値の算出では、線形補正が行われた。そして、各階調の輝度の出現頻度から、輝度の諧調の標準偏差が次のように算出された。
洗面化粧台前  全顔（図８（ａ））  標準偏差：１３．９２
洗面化粧台前  部分（図８（ｂ））  標準偏差：１３．８６
オフィス内  全顔（図９（ａ））  標準偏差：５．８７
オフィス内  部分（図９（ｂ））  標準偏差：５．５９
曇天時の屋外  全顔（図１０（ａ））  標準偏差：６．８２
曇天時の屋外  部分（図１０（ｂ））  標準偏差：６．９４
【００９５】
算出された標準偏差の各値は、肌の明るさの不均一性をそれぞれ表現する。肌の明るさの不均一性は、毛穴の目立ち度合を示すと捉えることができる。よって、標準偏差の各値によれば、洗面化粧台前において、その他の環境に比べて、毛穴の目立ち度合が高いことが示される。これは、肌評価支援システム１で得られた画像を用いた専門家の評価結果（「毛穴」）と同一の結果を表す。
洗面化粧台前  部分（図８（ｂ））  毛穴：４
オフィス内  部分（図９（ｂ））  毛穴：２
曇天時の屋外  部分（図１０（ｂ））  毛穴：２
よって、肌評価支援システム１で得られた画像が各実環境下での肌の見え方を適切に再現していることがデータ面からも検証される。
【００９６】
上述の内容は、次のようにも特定され得る。但し、上述の内容が以下の記載に制限されるものではない。
【００９７】
＜１＞  照明条件を調整可能な照明装置により照らされた被験肌を撮像装置で撮像することで得られる画像を用いる肌評価方法において、
被験肌を評価する実環境に対応する照明条件とカメラパラメータとの組み合わせにおける照明条件を前記照明装置に設定し、その組み合わせにおけるカメラパラメータを前記撮像装置に設定し、
前記設定された照明条件で前記照明装置により照らされた被験肌を、前記設定されたカメラパラメータで前記撮像装置に撮像させることにより、評価する実環境での被験肌の見え方を疑似的に表す画像を撮像する、
ことを含む肌評価方法。
【００９８】
＜２＞  前記撮像装置に設定される前記カメラパラメータは、シャッタースピード、フレームレート、絞り値、ＩＳＯ（International Organization for Standardization）感度、ホワイトバランス、被験肌とカメラの距離の少なくとも１つ、又は全てを含む、
＜１＞に記載の肌評価方法。
＜３＞  前記カメラパラメータとしてシャッタースピードを前記撮像装置に設定することを含む、
＜１＞又は＜２＞に記載の肌評価方法。
＜４＞  前記カメラパラメータとしてフレームレートを前記撮像装置に設定し、
前記撮像された画像をリアルタイムに表示装置に表示する、
ことを含む＜１＞又は＜２＞に記載の肌評価方法。
＜５＞  前記照明条件は、照明の数、照明の照度、位置方向、照明方向、照明の色、光源の種類の少なくとも１つ、又は全てを含む、
＜１＞から＜４＞のいずれか１つに記載の肌評価方法。
＜６＞  前記照明条件である照明の位置方向、照明方向を前記撮像装置に設定することを含む、
＜１＞から＜５＞のいずれか１つに記載の肌評価方法。
＜７＞  前記照明条件の位置方向は、少なくとも２方向から照射することを含み、その少なくとも２方向は、前記被験肌の前方かつ上方からの方向を含む、
＜１＞から＜６＞のいずれか１つに記載の肌評価方法。
＜８＞  前記被験肌は、化粧料の施された肌である、
＜１＞から＜７＞のいずれか１つに記載の肌評価方法。
＜９＞  照明条件を調整可能な照明装置により照らされた被験肌を撮像装置で撮像することで得られる画像を用いる肌評価支援システムであって、
被験肌を評価する実環境に対応する照明条件とカメラパラメータとの組み合わせにおける照明条件が前記照明装置に設定され、その組み合わせにおけるカメラパラメータが前記撮像装置に設定され、
前記設定された照明条件で前記照明装置により照らされた被験肌を、前記設定されたカメラパラメータで前記撮像装置に撮像させることにより、評価する実環境での被験肌の見え方を疑似的に表す画像を撮像する、
ことを含む肌評価支援システム。
＜１０＞  前記撮像装置に設定される前記カメラパラメータは、シャッタースピード、フレームレート、絞り値、ＩＳＯ（International Organization for Standardization）感度、ホワイトバランス、被験肌とカメラの距離の少なくとも１つ、又は全てを含む、
＜９＞に記載の肌評価支援システム。
＜１１＞  前記カメラパラメータとしてシャッタースピードを前記撮像装置に設定することを含む、
＜９＞又は＜１０＞に記載の肌評価支援システム。
＜１２＞  前記カメラパラメータとしてフレームレートを前記撮像装置に設定することを含み、
前記撮像された画像をリアルタイムに表示する表示装置を備えた、
＜９＞又は＜１０＞に記載の肌評価支援システム。
＜１３＞  前記照明条件は、照明の数、照明の照度、位置方向、照明方向、照明の色、及び光源の種類の少なくとも１つ、又は全てを含む、
＜９＞から＜１２＞のいずれか１つに記載の肌評価支援システム。
＜１４＞  前記照明条件である照明の位置方向、照明方向を前記照明装置に設定することを含む、
＜９＞から＜１３＞のいずれか１つに記載の肌評価支援システム。
＜１５＞  前記照明条件の位置方向は、少なくとも２方向から照射することを含み、その少なくとも２方向は、前記被験肌の前方かつ上方からの方向を含む、
＜９＞から＜１４＞のいずれか１つに記載の肌評価支援システム。
＜１６＞  前記被験肌は、化粧料の施された肌である、
＜９＞から＜１５＞のいずれか１つに記載の肌評価支援システム。
＜１７＞  前記照明装置は、
正面視にて被験肌を上下左右で囲み、かつ、側面視にて被験肌から所定距離離れた位置の垂直面上に並ぶ光出射面をそれぞれ有する、左右方向に長い上方光源ボックス及び下方光源ボックス、並びに、上下方向に長い左方光源ボックス及び右方光源ボックスと、
前記上方光源ボックス及び前記下方光源ボックスをそれぞれ上下方向に揺動可能に支持する上方光源支持機構及び下方光源支持機構と、
前記左方光源ボックス及び前記右方光源ボックスをそれぞれ左右方向に揺動可能に支持する左方光源支持機構及び右方光源支持機構と、
前記上方光源ボックス、前記下方光源ボックス、前記左方光源ボックス及び前記右方光源ボックスの各光源の出力を切り替える光制御部と、
を含み、照度、位置方向、照明方向及び色を前記照明条件として調整可能である、
＜９＞から＜１６＞のいずれか１つに記載の肌評価支援システム。
＜１８＞  前記撮像装置は、
カメラと、
前記カメラを上下方向に揺動可能に支持するカメラ支持機構と、
前記カメラ支持機構の上下方向の位置を調整可能とする第一位置調整機構と、
前記カメラ支持機構の位置を顎台に近付く方向及び前記顎台から離れる方向に調整可能とする第二位置調整機構と、
を含み、前記カメラパラメータとしての被験肌と前記カメラとの距離を調整可能である、
＜９＞から＜１７＞のいずれか１つに記載の肌評価支援システム。
＜１９＞  被験肌を評価する複数タイプの実環境に対応する照明条件とカメラパラメータとの複数の組み合わせの中から、評価対象となる実環境に対応する組み合わせを選択する、
ことを更に含み、
前記選択された組み合わせにおける照明条件が前記照明装置に設定され、
前記選択された組み合わせにおけるカメラパラメータが前記撮像装置に設定される、
＜１＞に記載の肌評価方法。
＜２０＞  前記撮像装置による撮像環境における被験肌上の照度が、その被験肌を評価する或る実環境での標準照度とは異なる、その実環境に関連付けられて予め決められた照度となるように、前記照明装置の出力を設定し、
前記実環境での前記被験肌の見え方を疑似的に表す画像が撮像されるように、前記照明装置の出力に基づく前記照度との組み合わせに応じて予め決められたシャッタースピードを、前記撮像装置に設定する、
ことを含む＜１＞又は＜１９＞に記載の肌評価方法。
【符号の説明】
【００９９】
１  肌評価支援システム
１０  照明装置
１１  光源ボックス
１１ａ  上方光源ボックス
１１ｂ  下方光源ボックス
１１ｃ  左方光源ボックス
１１ｄ  右方光源ボックス
１２、１２ａ、１２ｂ、１２ｃ、１２ｄ  光出射面
１３  光源支持機構
１３ａ  上方光源支持機構
１３ｂ  下方光源支持機構
１３ｃ  左方光源支持機構
１３ｄ  右方光源支持機構
１４、１４ａ、１４ｂ、１４ｃ、１４ｄ  位置調整機構
１８  光制御部
２０  撮像装置
２１  カメラ
２２  カメラ支持機構
２３  第一位置調整機構
２４  第二位置調整機構
３０  顎台
７０  情報処理装置
７１  ＣＰＵ
７２  メモリ
７３  入出力Ｉ／Ｆ
７４  表示装置
７５  入力装置
８１  表示処理部
８３  格納部
【図１】
0006373750.tif 000002
【図２】
0006373750.tif 000003
【図３】
0006373750.tif 000004
【図４】
0006373750.tif 000005
【図５】
0006373750.tif 000006
【図６】
0006373750.tif 000007
【図７】
0006373750.tif 000008
【図８】
0006373750.tif 000009
【図９】
0006373750.tif 000010
【図１０】
0006373750.tif 000011
【図１１】
0006373750.tif 000012